(57)【要約】【課題】全体としての施工性を高めることができるとともに、工事安全性を確保でき、しかもプランに応じた間仕切壁の配置を自由に設定、変更できる内壁の構造を提供する。【解決手段】建物内部の空間を区切るために垂直にのびる内壁の構造であって、屋根及び天井の間に配置されるとともに屋根梁の上に設置される小屋裏耐火間仕切と、天井及び床の間に配置されるとともに建物内のスペースを区画する間仕切壁とを含み、前記小屋裏耐火間仕切は、外周枠の内側に補強桟を架け渡して形成されたパネルフレームの両側に板材を貼着した小屋裏間仕切パネルを屋根梁の上に固定することにより形成され、前記間仕切壁は、板材の裏面に垂直なスタッドを予め固着したハーフパネルと、このハーフパネルに対し、そのスタッド側で重なり合う単独の板材とを天井及び床の間に取付けて形成されることを特徴とする。【選択図】図１
2007308969.tif 000002
【特許請求の範囲】
【請求項１】
建物内部の空間を区切るために垂直にのびる内壁の構造であって、
屋根及び天井の間に配置されるとともに屋根梁の上に設置される小屋裏耐火間仕切と、天井及び床の間に配置されるとともに建物内のスペースを区画する間仕切壁とを含み、
前記小屋裏耐火間仕切は、外周枠の内側に補強桟を架け渡して形成されたパネルフレームの両側に板材を貼着した小屋裏間仕切パネルを屋根梁の上に固定することにより形成され、
前記間仕切壁は、板材の裏面に垂直なスタッドを予め固着したハーフパネルと、このハーフパネルに対し、そのスタッド側で重なり合う単独の板材とを天井及び床の間に取付けて形成されることを特徴とする内壁の構造。
【請求項２】
前記小屋裏間仕切パネルは、板材の上端側又は下端側を短く形成することにより、パネルフレームの上枠又は下枠が露出する作業窓が形成され、
この作業窓は、小屋裏間仕切パネルを固着する作業終了後に、覆板によって覆われることを特徴とする請求項１記載の内壁の構造。
【請求項３】
前記小屋裏間仕切パネルは、パネルフレームの上枠が、屋根勾配に合わせた角度で傾く、傾斜上枠により形成されることを特徴とする請求項１又は２記載の内壁の構造。
【請求項４】
前記間仕切壁は、天井高さ、床高さにおいて互いに向き合って水平にのびる上、下のランナーを更に含み、
前記ハーフパネルは、そのスタッドの上、下端部を前記ランナーに固着することにより取付けられることを特徴とする請求項１〜３のいずれかに記載の内壁の構造。
【請求項５】
前記ハーフパネルは、スタッドを一方の側縁部に取り付けるとともに、このスタッドは、その一部が板材の縁部から側方に食み出して配置され、
スタッドの前記食み出し部に隣接する板材の縁部が固着されることを特徴とする請求項４記載の内壁の構造。
【発明の詳細な説明】
【技術分野】
【０００１】
本発明は、屋根及び天井の間に配置される小屋裏耐火間仕切、及び天井及び床の間に配置されるとともに建物内のスペースを区画する間仕切壁を含む内壁の構造に関する。
【背景技術】
【０００２】
建物の耐火性能向上ため、屋根と天井の間で形成される小屋裏空間に、準耐火構造の間仕切りを設置することが求められる。特に延焼の危険性が高い共同住宅においては、各戸の界壁を準耐火構造とするとともに、これを小屋裏に延長することが法規上規定されている。
【０００３】
そこで、天井内部で小屋裏耐火間仕切を施工し、次いで、天井下地を施工して、該天井下地に天井ボードを貼るとともに、前記小屋裏耐火間仕切の下端と天井ボードとの間にロックウールを詰め、その後、前記小屋裏耐火間仕切に沿えて天井ボードと床との間に室内軽量鉄骨耐火間仕切を施工する工法が提案されている（例えば、特許文献１参照）。
【０００４】
【特許文献１】特開平５−１９５５９４号公報
【発明の開示】
【発明が解決しようとする課題】
【０００５】
前記工法においては、天井内の施工と室内の施工を区分し、その小屋裏耐火間仕切を当初に施工し、室内耐火間仕切を終段に施工するので、天井工事の際、室内に障害物となる間仕切がなく、資材の運搬や移動が楽に行え、天井下地、ボード貼り、各種配管、配線等の施工性をよくすることができ、工期を短縮でき、コストを低減できる。
【０００６】
しかしながら、小屋裏耐火間仕切の施工は、高所でかつ狭小なスペースでの作業が要求されることから、作業性が低下するとともに危険性をいう問題がある。そこで小屋裏耐火間仕切の施工専用の足場を設置すると、安全性は確保できるものの、工期がのびるとともに、コストが嵩む原因となる。
【０００７】
本発明は、小屋裏耐火間仕切は、小屋裏間仕切パネルを屋根梁の上に固定することにより形成するとともに、間仕切壁は、ハーフパネルと、単独の板材とを天井及び床の間に取付けて形成することを基本とし、全体としての施工性を高めることができるとともに、工事安全性を確保でき、しかもプランに応じた間仕切壁の配置を自由に設定、変更できる内壁の構造の提供を課題としている。
【課題を解決するための手段】
【０００８】
前記目的を達成するために、請求項１に係る発明では、建物内部の空間を区切るために垂直にのびる内壁の構造であって、屋根及び天井の間に配置されるとともに屋根梁の上に設置される小屋裏耐火間仕切と、天井及び床の間に配置されるとともに建物内のスペースを区画する間仕切壁とを含み、前記小屋裏耐火間仕切は、外周枠の内側に補強桟を架け渡して形成されたパネルフレームの両側に板材を貼着した小屋裏間仕切パネルを屋根梁の上に固定することにより形成され、前記間仕切壁は、板材の裏面に垂直なスタッドを予め固着したハーフパネルと、このハーフパネルに対し、そのスタッド側で重なり合う単独の板材とを天井及び床の間に取付けて形成されることを特徴とする。
【０００９】
請求項２に係る発明では、前記小屋裏間仕切パネルは、板材の上端側又は下端側を短く形成することにより、パネルフレームの上枠又は下枠が露出する作業窓が形成され、この作業窓は、小屋裏間仕切パネルを固着する作業終了後に、覆板によって覆われ、請求項３に係る発明において、前記小屋裏間仕切パネルは、パネルフレームの上枠が、屋根勾配に合わせた角度で傾く、傾斜上枠により形成されることを特徴とする。
【００１０】
請求項４に係る発明では、前記間仕切壁は、天井高さ、床高さにおいて互いに向き合って水平にのびる上、下のランナーを更に含み、前記ハーフパネルは、そのスタッドの上、下端部を前記ランナーに固着することにより取付けられ、請求項５に係る発明において、前記ハーフパネルは、スタッドを一方の側縁部に取り付けるとともに、このスタッドは、その一部が板材の縁部から側方に食み出して配置され、スタッドの前記食み出し部に隣接する板材の縁部が固着されることを特徴とする。
【発明の効果】
【００１１】
請求項１に係る発明においては、小屋裏耐火間仕切は、パネルフレームの両側に板材を貼着した小屋裏間仕切パネルを屋根梁の上に固定することにより形成するため、足場の悪い小屋裏空間における作業性が向上するとともに、パネル化によって危険作業を低減できることから工事安全性を高めうる。しかも所定の耐火性能が要求される小屋裏間仕切を、品質管理レベルの高い工場で生産された小屋裏間仕切パネルを用いて構築するため、安定した耐火性能が確実に得られる。他方間仕切壁は、板材の裏面にスタッドを予め固着したハーフパネルと、このハーフパネルに重なり合う単独の板材とを天井及び床の間に取付けて形成するため、平面プランに応じて自由に配置できるとともに、建築現場での変更にも柔軟に対応できる。しかも経時後のプラン変更、或いはリフォームの際には、間仕切壁のみを部分的に除去するとともに位置を替えるなどして、間仕切壁の位置変更、撤去、増設などを簡単に行なえる。
【００１２】
請求項２に係る発明では、小屋裏間仕切パネルに、パネルフレームの上枠又は下枠が露出する作業窓を形成し、この作業窓を固着作業終了後に覆板によって覆うように構成すると、足場が悪く、しかも手狭な小屋裏空間での取り付け作業を能率的に行なえる。しかも作業を終えた作業窓は、覆板で閉鎖されることから、防火性能を損ねることがない。
【００１３】
請求項３に係る発明では、屋根勾配に合わせた角度で傾く、傾斜上枠によって小屋裏間仕切パネルの上枠を形成すると、建築現場で加工することなく、小屋裏空間に隙間なく取り付けできることから、施工性が向上するとともに、防火性能を確保できる。
【００１４】
請求項４に係る発明では、ハーフパネルを、スタッドの上、下端部を上、下のランナーに固着して取付けると、ハーフパネルの位置合わせを含めて間仕切壁構築作業が迅速に行なえ、ランナーに上下を支持されたハールパネルによって、堅牢な間仕切壁を構築できる。
【００１５】
請求項５に係る発明では、ハーフパネルの板材の縁部から側方に食み出して配置されたスタッドの食み出し部に、隣接する板材の縁部を固着して間仕切壁を構成すると、ハーフパネルと隣の板材とを一体化できて、隙間なく連続した堅牢な間仕切壁を構築できる。
【発明を実施するための最良の形態】
【００１６】
以下、本発明の実施の一形態を、図示例とともに説明する。図１、２に示すように、内壁の構造１は、小屋裏耐火間仕切５と、建物内のスペースを区画する間仕切壁７とを具える。なお内壁とは、建物の内部、外部の間を仕切る外壁と対比して、天井裏を含めた建物の内部空間の中で垂直にのびて、その内部空間を区切るために構築される壁をいう。
【００１７】
前記小屋裏耐火間仕切５は、屋根２及び天井３の間に設置され、小屋裏空間における延焼を阻止するための防火壁として機能するものである。そして共同住宅において、各戸の間に設置が法規上必要とされる耐火界壁の中で、小屋裏の領域もこれに該当する。本形態の小屋裏耐火間仕切５は、小屋裏間仕切パネル１２を、ボックス状の専用金具２１を介して屋根梁４の上に固定することにより形成される。
【００１８】
前記小屋裏間仕切パネル１２は、図３、４に示すように、左右の縦枠２３、２３と、この縦枠２３の上、下端部間に架け渡された、上枠８Ｕ、下枠８Ｄとからなる外周枠８の内側に補強桟９を架け渡し形成されたパネルフレーム１０の両側に板材１１が貼着されて、フラッシュパネル状に構成される。前記フレーム材、及び補強桟９としては、断面コ字状の長尺材が使用され、例えば軽量鉄骨溝型材が好適に使用できる。
【００１９】
また小屋裏間仕切パネル１２は、図１に示すように、矩形パネル１２Ｓと、三角形、或いは台形状をなす異形パネル１２Ｕの二種類を含んで構成される。矩形パネル１２Ｓは、図４に示すように、桁行き方向に配置され、前記の如く下端部が屋根梁４に固定されるとともに、上端部が専用金具２１を用いて母屋２２の下部に固定される。
【００２０】
異形パネル１２Ｕは、図３に示すように、パネルフレーム１０の上枠８Ｕが屋根勾配と一致して傾斜した角度の傾斜上枠１７により枠組みされる。従って、建築現場では、屋根勾配に応じて異形に形成された小屋裏空間に対しても、何ら加工することなく、しかも隙間を空けることなく取り付けできるため、施工性が向上するとともに、防火性能を確保できる点で好ましい。
【００２１】
前記板材１１は、耐火性が要求されることから、けい酸カルシウム板、スラグ石膏板、繊維強化セメント板、繊維混入スラグせっこう系セメントパーライト板などの耐火性ボードが用いられる。そして、本形態では、これら板材１１の上端側及び下端側が短く形成されて、パネルフレーム１０の上枠８Ｕ、下枠８Ｄが露出する横長の作業窓１５が形成されている。従って、この作業窓１５から締め付け工具などを挿入して小屋裏間仕切パネル１２の取付作業を、施工することができる。特に足場が悪くしかも狭い小屋裏空間においても、作業窓１５を利用すると効率的に取付作業が行なえる点で好ましい。なおこの作業窓１５は、上端、下端の何れか一方にのみ設けても良い。
【００２２】
さらに作業窓１５を利用した取り付け作業が完了した後には、前記と同種の板材１１を、予め作業窓１５の大きさに合わせて切断して形成した覆板１６を、作業窓１５部分に固着することにより、作業窓１５を完全に塞ぐことができ、従って防火性能を低下することがない点で好ましい。
【００２３】
前記間仕切壁７は、天井３と床６との間の平面プランに応じた位置に構築され、図１、５に示すように、天井高さ、床高さで向き合って水平にのびる上、下のランナー１８と、この上、下のランナー１８の間に配置される垂直なスタッド１３と、前記ランナー１８及びスタッド１３の両側に取り付けられる板材１１とからなる。
【００２４】
前記ランナー１８は、各々断面コ字状をなす長尺材であって、ウエブの巾は例えば５０〜１５０ｍｍ程度、本形態では９０ｍｍであり、フランジの巾は例えば２５〜６０ｍｍ程度、本形態では４０ｍｍである。そして、板厚例えば０．４〜１．５ｍｍ程度、本形態では、０．８ｍｍの帯鋼板をロール成形により溝形状に形成したものが用いられる。
【００２５】
前記上のランナー１８Ｕは、図２、５に示すように、下向きに開口して配され、屋根梁４の下側のフランジに取り付けられたボックス状の専用金具２１に対してビス（図示せず）を用いて固着される。他方下のランナー１８Ｄは、前記上のランナー１８Ｕの真下で、上向きに開口して配され、床６に対してビス（図示せず）を用いて固着される。
【００２６】
前記スタッド１３は、図５に示すように、断面略コ字状の縦の長尺材であって、ランナー１８と同様に、帯鋼板をロール成形によって形成したものが用いられる。またスタッド１３は、この他、角筒状、断面Ｈ字状、断面Ｚ字状などの長尺材を用いることもできる。
【００２７】
前記板材１１は、前記ランナー１８の取り付け間隔と略同じ高さを有する直立した矩形状の板体からなり、厚さは例えば５〜２０ｍｍ程度、本形態では１２．５ｍｍに形成されている。この板材１１には、加工容易性、防音性能、必要強度などから石膏ボードが好適に使用されるが、この他、合板、パーティクルボード、インシュレーションボード、ＭＤＦ（中密度繊維板）などの木質加工板材、ポリエチレン樹脂、ポリプロピレン樹脂、ポリスチレン樹脂、フェノール樹脂、不飽和ポリエステル樹脂などのプラスチックボード、炭素鋼、ステンレス鋼、合金鋼を含む鉄鋼材料、或いはアルミニウム、真鍮、銅、チタンなどの金属板を用いることもできる。
【００２８】
更に前記板材１１の一部は、その裏面に前記スタッド１３が固着されてハーフパネル１４として構成される。ハーフパネル１４のスタッド１３は、その上下端部において、前記ランナー１８のフランジ巾と略同巾寸法で、板材１１よりも短く形成されたものが使用され、板材１１の一方の側縁部を始点として一定間隔を隔てて複数本が固着される。本形態では、巾９００ｍｍの板材１１対して、４５０ｍｍの間隔で２本のスタッド１３、１３が固着されたハーフパネル１４が例示される。しかし３本以上のスタッド１３を固着したハーフパネル１４を構成することも良い。
【００２９】
更に、図５、６に示すように、前記板材１１の側縁部に固着されるスタッド１３は、巾の略半分が板材１１の縁部から側方へ食み出して配置され、この食み出し部分により食み出し部２４を形成している。
【００３０】
前記ハーフパネル１４は、その板材１１の上下端部をランナー１８の一方の側部に当接するとともに、板材１１からランナー１８へ向けて打ち込むビスによりランナー１８に固着される。そして、これに隣接するハーフパネル１４は、同様にしてランナー１８に固着される。この時、図６に示すように、前記スタッド１３の食み出し部２４に、隣接するハーフパネル１４の板材１１が固着される。そのため、隣り合うハーフパネル１４同士が連結されて堅牢な間仕切壁７を構築できるとともに、段差、隙間を生じないため、見栄えに優れた仕上がり得られる。
【００３１】
前記ランナー１８に固着されたハーフパネル１４に対して、単独の板材１１Ｓがランナー１８を介して向き合って配置される。そして前記単独の板材１１Ｓは、ランナー１８及び相方のハーフパネル１４のスタッド１３に対してビスによって固着され、これにより、ハーフパネル１４及び単独の板材１１Ｓが、ランナー１８を介して一体化され間仕切壁７が構成される。なお前記単独の板材１１Ｓとは、ハーフパネル１４を構成せず、単体でランナー１８に固着されるボードを言うが、ハーフパネル１４を構成する前記板材１１と同種ものが使用される。
【００３２】
このように、ハーフパネル１４の採用により、従来のように多数のスタッド１３をランナー１８に取り付ける手間の掛かる現場作業を省くことができ、工事の作業内容が標準化できるため、作業工程の数が減少するとともに、各作業内容を単純化でき、全体の作業時間を短縮しうる。しかも施工が標準化されるため、残ダメ工事がなくなるとともに、手直しも殆ど必要なく、優れた施工品質を確保できて、高い顧客満足が得られる。また標準化された工程は、作業者のスキルズに多少のバラツキがあっても、所定の品質が確保でき、同時に特別の熟練を必要としないため、多能工によって施工を合理化できる。
【００３３】
また板材１１の裏面にスタッド１３を設けたシンプルな構成のハーフパネル１４は、フラッシュパネルに比べて切断などの加工性に富む。従って収納部、飾り棚、トイレなど多くの造作が施されて複雑に出入りして変化する間仕切壁７においても、柔軟に対応できるためパネルの種類を増やす必要がなく、標準化できる。このように部材が標準化されると、品種が減少することによって量産効果が高められる。即ち製造過程では部材の生産効率を向上でき、物流過程においても管理工数が軽減され、かつ未送誤送などのトラブルが減少するため効率とともに信頼性が高まる。更に、設計、積算、及び工事の過程では、一連の作業を軽減できるため、工期の短縮及びトータルコストの低減が図れる。特に工事過程において作業が標準化されるため、施工品質を向上できる。また、配線配管の作業も効率的に行うことができる。
【００３４】
更にハーフパネル１４は、同高さ、巾の従来のフラッシュパネルに比べて、重さが約半分に軽量化されるため、製造、物流、及び工事の過程で搬送を含んだ一連の作業負担が軽減できて、効率化しうる。特に手狭でかつ足場が必ずしも良くない施工現場では、荷扱いがやり易くなることにより、工事の能率を高める効果が顕著にあらわれる。加えて、不自然な姿勢で部材を保持しつつ、取付けなどの作業を繰り返す施工作業者に対する負荷を軽減でき、腰痛を始めとする労働障害を防止することができる。また上階への搬入作業も、チェーンブロックなどの機器を使用することなく、スムースに行なうことができる。
【００３５】
このように、内壁の構造１は、足場の悪い小屋裏小屋裏においては、パネルフレーム１０の両側に板材１１を貼着した小屋裏間仕切パネル１２を屋根梁４の上に固定することにより小屋裏耐火間仕切５を形成するため、作業安全性を高めつつ作業性を向上でき、しかも品質管理レベルの高い工場で生産された小屋裏間仕切パネル１２を用いて構築するため、安定した耐火性能が確実に得られる。他方間仕切壁７は、ハーフパネル１４と、このハーフパネル１４に重なり合う単独の板材１１とをスタッド１３を介して一体化して形成されるものであるため、平面プランに応じて自在に配置できるとともに、プラン変更にも柔軟に対応できる。しかもリフォームの際には、間仕切壁７のみを部分的に除去するとともにその位置を替えるなどして、間仕切壁７の位置変更、撤去、増設などを簡単に行なえる。
【００３６】
尚、叙上の説明は本発明の実施の形態を例示したものである。従って本発明の技術的範囲はこれに何ら限定されるものではなく、前記した実施の形態の他にも、各種の変形例が含まれる。
【図面の簡単な説明】
【００３７】
【図１】本発明の一実施の形態を例示する分解斜視図である。
【図２】その縦断面図である。
【図３】小屋裏耐火間仕切の正面図である。
【図４】異なる部分の小屋裏耐火間仕切の正面図である。
【図５】間仕切壁の分解斜視図である。
【図６】その横断面図である。
【符号の説明】
【００３８】
１      内壁の構造
２      屋根
３      天井
４      屋根梁
５      小屋裏耐火間仕切
６      床
７      間仕切壁
８      外周枠
９      補強桟
１０      パネルフレーム
８Ｕ    上枠
８Ｄ    下枠
１１      板材
１２      小屋裏間仕切パネル
１３      スタッド
１４      ハーフパネル
１５      作業窓
１６      覆板
１７      傾斜上枠
１８      ランナー
【図１】
2007308969.tif 000003
【図２】
2007308969.tif 000004
【図３】
2007308969.tif 000005
【図４】
2007308969.tif 000006
【図５】
2007308969.tif 000007
【図６】
2007308969.tif 000008